(57)【要約】【課題】本発明は、装置のサイズを大きくすることなく、ゲームやＷＥＢブラウジング、メール送受信等を行う際の操作性を向上させた電子機器を提供する。【解決手段】第１の筐体３と第２の筐体２とが相互にスライド自在に積層されてなる電子機器１であって、第１の筐体３を前記第２の筐体２に対して所定方向にスライドさせて第１の操作手段５ｃ、５ｄを露出させることにより、電子機器１を第１の状態（モード３）に変化させる第１の状態変化手段と、第１の筐体３を前記第２の筐体２に対して所定方向とは異なった方向にスライドさせて第２の操作手段を露出させることにより、電子機器１を第２の状態に変化させる第２の状態変化手段を備えた。【選択図】  図２
2009055312.tif 000002
【特許請求の範囲】
【請求項１】
第１の筐体と第２の筐体とが相互にスライド自在に積層されてなる電子機器であって、
前記第１の筐体を前記第２の筐体に対して所定方向にスライドさせて第１の操作手段を露出させることにより、電子機器を第１の状態に変化させる第１の状態変化手段と、
前記第１の筐体を前記第２の筐体に対して前記所定方向とは異なった方向にスライドさせて第２の操作手段を露出させることにより、電子機器を第２の状態に変化させる第２の状態変化手段を備えたことを特徴とする電子機器。
【請求項２】
前記第１の状態において、前記第１の筐体を前記第２の筐体に対して前記所定方向にさらにスライドさせて第３の操作手段を露出させることにより、電子機器を第３の状態に変化させる第３の状態変化手段を備えたことを特徴とする請求項１記載の電子機器。
【請求項３】
前記第１の状態において、前記第１の筐体を前記第２の筐体に対して回転させることにより、電子機器を第４の状態に変化させる第４の状態変化手段を備えたことを特徴とする請求項１記載の電子機器。
【請求項４】
前記状態の情報とこの状態にて起動される機能の情報とを対応付けて記憶する記憶手段と、
状態が変化した場合、前記記憶手段により変化後の状態に対応付けられた機能を起動する機能起動手段とを備えたことを特徴とする請求項１記載の電子機器。
【請求項５】
前記第１の状態及び第２の状態に対して、それぞれ起動される機能を対応付けて記憶する記憶手段を備え、
前記第１の状態変化手段は、前記記憶手段により前記第１の状態に対応付けられた機能が起動された場合、電子機器を前記第１の状態に変化させるとともに、
前記第２の状態変化手段は、前記記憶手段により前記第２の状態に対応付けられた機能が起動された場合、電子機器を前記第２の状態に変化させることを特徴とする請求項１記載の電子機器。
【請求項６】
所定状態において他のイベントが発生した場合、起動中の機能を一旦停止して、前記イベントに伴った他の機能を起動し、前記他の機能が終了したことに基づいて前記停止中の機能を再開する再開手段を備えたことを特徴とする請求項１記載の携帯電話機。
【請求項７】
電子機器を複数の形態に変化させる形態変化手段と、
前記形態変化手段により電子機器の形態が変化した場合、前記複数の形態の各々に対する使用頻度を取得して、使用頻度が最も高い機能を起動する機能起動手段と、
前記形態変化手段により電子機器の形態が変化した場合、変化後の形態において使用された機能について、記憶されている使用頻度を更新する頻度更新手段と、
を備えたことを特徴とする電子機器。
【請求項８】
前記形態変化手段により電子機器の形態が変化した場合、前記記憶手段により変化後の形態に対応付けられて記憶された機能を、使用頻度の高い順に並べて表示する表示手段を備えたことを特徴とする請求項７記載の電子機器。
【請求項９】
電子機器を複数の形態に変化させる形態変化手段と、
前記複数の形態の各々に対して、使用可能な機能を記憶する記憶手段と、
前記状態変化手段により電子機器の形態が変化した場合、前記記憶手段により変化後の形態に対応付けられて記憶された使用可能な機能を表示する表示手段と、
を備えたことを特徴とする電子機器。
【発明の詳細な説明】
【技術分野】
【０００１】
本発明は、上筐体及び下筐体が相互に複数方向にスライド自在に積層されてなる電子機器に係り、具体的には、上筐体が下筐体に対してスライドした時、スライドした方向によって異なる操作手段が露出される電子機器に関する。
【背景技術】
【０００２】
携帯電話機や携帯型ゲーム機、ＰＤＡ（Ｐｅｒｓｏｎａｌ  Ｄｉｇｉｔａｌ  Ａｓｓｉｓｔａｎｔｓ）等の電子機器を用いて画像撮影やゲーム、ＷＥＢブラウジング等を行う際、これらの電子機器が小型で持ち運び自在である反面、ボタンや操作キー等の操作手段に制限がかかっているため、操作性が良くないという問題があった。
【０００３】
そこで、携帯電話機の形状を大きくせずに操作性を向上させた電子機器が提案されている。例えば特許文献１には、カメラ機能の操作性を向上させる携帯電話機が記載されている。この携帯電話機において、通常の操作を行う操作部とカメラ撮影に付随した二次的な機能を有する二次的機能部とが筐体内外に対してそれぞれ異なった方向に出し入れ自在に設けられている。ユーザは、この携帯電話機の筐体から操作部と二次的機能部を出した状態でカメラ機能を使用することにより、この携帯電話機をより便利に使用することが可能となっている。
【特許文献１】特開２００６−３２５１１４号公報
【発明の開示】
【発明が解決しようとする課題】
【０００４】
近年の携帯電話機等の電子機器は、大画面を持ち、ゲームやＷＥＢブラウジングを行えることが一つの特徴になっている。一般的なゲーム機のコントローラは、通常、右手親指で主入力（Ａ／Ｂボタン）、左親指で上下左右のコントロール（十字キー）で操作するように構成されているものが多い。一方、従来のスライド型の携帯電話機は縦長い形状で製造されていて、通常、縦にした状態で使用される。この際、携帯電話機の下部側にマルチファンクションボタン（上下左右のコントロール）等の操作手段が配置される。
【０００５】
また、携帯電話機を用いてゲームを行う場合、横向きで使用した方が大画面を有効に使用できる。携帯電話機を横向きにすると左右の一方の側にマルチファンクションボタンが配置されるが、ゲームの操作性を良くするためには、左右の双方の側にボタンが配置されることが望ましい。しかしながら、携帯電話機の左右の双方の側にボタンを配置すると、携帯電話の形状が大きくなってしまうという問題があった。
【０００６】
また、携帯電話機でゲームやＷＥＢブラウジングを行う場合、携帯電話機にボタンやポインティングデバイス用の静電パッド等の操作手段が設置されることが望ましい。しかしながら、携帯電話機にこれらの操作手段を設置しようとすると、これらの操作手段に面積を取られてしまうため他の操作手段を小さくする必要が生じ、操作性が悪くなってしまう恐れがある。それを回避しようとすると、やはり携帯電話の形状が大きくなってしまうという問題が生じてしまう。
【０００７】
本発明は、上記課題を鑑みなされてものであり、装置のサイズを大きくすることなく、ゲームやＷＥＢブラウジング、メール送受信等を行う際の操作性を向上させた携帯電話機等の電子機器を提供することを目的とする。
【課題を解決するための手段】
【０００８】
上記課題を解決するために、本発明に係る電子機器は、第１の筐体と第２の筐体とが相互にスライド自在に積層されてなる電子機器であって、前記第１の筐体を前記第２の筐体に対して所定方向にスライドさせて第１の操作手段を露出させることにより、電子機器を第１の状態に変化させる第１の状態変化手段と、前記第１の筐体を前記第２の筐体に対して前記所定方向とは異なった方向にスライドさせて第２の操作手段を露出させることにより、電子機器を第２の状態に変化させる第２の状態変化手段を備えたことを特徴とする。
【発明の効果】
【０００９】
本発明に係る電子機器によると、上筐体及び下筐体を複数方向に対してスライド可能なように積層させ、スライドの方向により異なる操作手段を露出させることにより、携帯電話の形状を大きくすることなく、ゲームやＷＥＢブラウジング、メール送受信等を行う際の操作性を向上させることが可能となる。
【発明を実施するための最良の形態】
【００１０】
本発明に係る電気機器の実施形態について、添付図面を参照しながら説明する。なお、本発明に係る電気機器として、携帯電話機１を例に挙げて説明する。携帯電話機１は、複数（例えば２つ）の筐体が相互に複数方向にスライド自在に積層されていて、これらの筐体をスライドさせることによって複数の形状状態（例えばモード０乃至モード５の状態）に変形可能なように構成されたものである。
【００１１】
図１及び図２は、携帯電話機１を示す斜視図であり、図１（ａ）は携帯電話機１のモード０の状態を示す斜視図、図１（ｂ）は携帯電話機１のモード１を示す斜視図、図１（ｃ）は携帯電話機１のモード２を示す斜視図である。また、図２（ａ）は携帯電話機１のモード０の状態を示す斜視図、図２（ｂ）は携帯電話機１のモード３を示す斜視図、図２（ｃ）は携帯電話機１のモード４を示す斜視図、図２（ｄ）は携帯電話機１のモード５を示す斜視図である。
【００１２】
携帯電話機１は、矩形の板状の下筐体２と、この下筐体２とほぼ同形状をした上筐体３とが相互に一面を覆うように積層されることにより形成されている。下筐体２及び上筐体３は、長手方向（図１のＸ方向）に相互にスライド可能なように積層されている。すなわち、下筐体２と上筐体３とが双方の一面のほぼ全面を覆うように重なった状態（図１（ａ）に示すモード０の状態）において、上筐体３を下筐体２に対して長手方向にスライドさせることにより、上筐体３が下筐体２に対して長手方向にずれて重なった状態（図１（ｂ）示すモード１の状態）に変形する。
【００１３】
上筐体３には液晶ディスプレイ４が設置されている。また上筐体３には、第一の入力手段として上下左右キー５ａ等の操作キー５が設置されている。また上筐体３には、音声を出力するスピーカ６が設置されている。これらの液晶ディスプレイ４、上下左右キー５ａ、及びスピーカ６は、携帯電話機１の形状状態に依存せずに常に外部に露出する位置に設置されている。
【００１４】
下筐体２には第２の入力手段としてテンキー５ｂ等の操作キー５が設けられていて、これらの操作キー５は、図１（ｂ）に示すように、上筐体３を下筐体２に対してスライドさせることにより表面に露出するように構成されている。また、下筐体２にはマイクロフォン７が備えられていて、このマイクロフォン７は同様に、図１（ｂ）に示すように、上筐体３を下筐体２に対してスライドさせることにより表面に露出するように構成されている。携帯電話機１をモード１の状態に変形させることによりスピーカ６、マイクロフォン７が所定の位置に露出するため、ユーザが携帯電話機１を用いて音声通話を行う際の操作性が向上する。
【００１５】
また、携帯電話機１のモード１の状態において、上筐体３を下筐体２に対して平行な平面方向（図１のＹ方向）に９０°回転させて、図１（ｃ）に示すモード２の状態にすることにより、携帯電話機１をＴ字状にして液晶ディスプレイ４の画面を横長にして使用することができる。携帯電話機１をモード２の状態にすると、テンキー５ｂがユーザに対して手前側に配置され、横長の液晶ディスプレイ４がユーザに対して奥に配置されるため、ユーザが携帯電話機１を用いてＷＥＢブラウジングやメールの文字入力、テレビ視聴を行う際の操作性が向上する。
【００１６】
携帯電話機１は、図２（ａ）に示すモード０の状態では下筐体２が上筐体３とが双方の片面を覆うように重なっているが、上筐体３が下筐体２に対して、図１（ｂ）に示すモード１の時とは反対の方向にスライドさせることにより、図２（ｂ）示すモード３の状態にするができる。下筐体２には第３の操作手段としてボタン５ｃやロータリースイッチ５ｄ等の操作キー５が設けられていて、これらの操作キー５は、図２（ｂ）に示すように、上筐体３を下筐体２に対してスライドさせることにより表面に露出するように構成されている。
【００１７】
なお、携帯電話機１は、上筐体３の裏面（下筐体２と対面する面）にはＣＣＤカメラ（図８に示すＣＣＤカメラ９）が設置されていて、下筐体２と上筐体３とが双方の片面を覆うように重なっているモード０の状態では、このＣＣＤカメラ９は外部に露出しないが、上筐体３を下筐体２に対してスライドさせてモード３（またはモード４）の状態にすることにより、ＣＣＤカメラ９が外部に露出するように構成されている。携帯電話機１をモード３の状態にすることによりＣＣＤカメラ９及びカメラ機能に適応した操作キー５を露出させることで、ユーザがカメラ機能を使用する際の操作性を向上させることができる。また、携帯電話機１をモード０の状態にしている時には、ＣＣＤカメラ９及びカメラ機能に適応した操作キー５が内部に収納されているため、コンパクトな状態が維持される。
【００１８】
携帯電話機１は、図２（ｂ）に示すモード３の状態から、上筐体３を下筐体２に対して更にスライドさせることにより、図２（ｃ）示すモード４の状態にするができる。下筐体２には、第４の入力手段として静電パッド５ｅやタッチパネル等の操作キー５が設けられていて、これらの操作キー５は、図２（ｃ）に示すように、上筐体３を下筐体２に対して、モード３の状態よりも更にスライドさせることにより表面に露出するように構成されている。携帯電話機１をモード４の状態に変形させることにより静電パッド５ｅが露出するため、ユーザが携帯電話機１を用いてＷＥＢブラウジングやゲームを行う際の操作性が向上する。
【００１９】
携帯電話機１は、図２（ｃ）に示すモード４の状態から、上筐体３を下筐体２に対して９０°回転させることにより、図２（ｄ）示すモード５の状態にするができる。図２（ｄ）に示すモード５の状態にすることにより、携帯電話機１をＴ字状にして液晶ディスプレイ４の画面を横長にして使用することができる。携帯電話機１をモード５の状態にすると、ボタン５ｃやロータリースイッチ５ｄ、静電パッド５ｃがユーザに対して手前側に配置され、横長の液晶ディスプレイ４がユーザに対して奥に配置されるため、ユーザが携帯電話機１を用いてゲームやテレビ視聴を行う際の操作性が向上する。
【００２０】
次に、携帯電話機１において形状状態を変化させるための構成について一例を挙げて説明する。携帯電話機１において、図３及び図４に示すように、下筐体２と上筐体３との間に連結機構１０を介装することにより、下筐体２と上筐体３との長手方向のスライドを自在にしている。連結機構１０は、上筐体３の背面（下筐体２と対向する面）に固定設置されたガイドプレート１１と、ガイドプレート１１に対してスライド自在に係合したスライドプレート１２とを具備している。
【００２１】
ガイドプレート１１は、上筐体３の長手方向に沿って延在する矩形の平面形状を呈しており、その天板１１ｔにおける左右の側縁には、それぞれ長手方向に沿って延びる一対のレール１１ｇが形成されている。一方、上記スライドプレート１２は、低板と左右の側板とから成る略凹字形の断面形状を呈しており、左右の側板には各々長手方向に沿って延びる一対のスライダ１２ｓが設けられている。スライドプレート１２は、その左右のスライダ１２ｓを、ガイドプレート１１のレール１１ｇと係合させることにより、ガイドプレート１１の天板１１ｔに底板を対向させる態様で、ガイドプレート１１に対してスライド自在に組み付けられている。
【００２２】
また、スライドプレート１２は、その底板に突設したストッパ１２ａが、ガイドプレート１１の天板１１ｔに突設した一方側ストッパ１１ａと他方側ストッパ１１ｂとに当接することで、スライドプレート１２の長手方向に沿った所定のストローク範囲においてのみスライドが可能である。
【００２３】
さらに、ガイドプレート１１の長孔１１ｏのストレート部１１ｓにはストッパ１１ｃが設けられていて、ストッパ１１ｃは、スライドプレート１２がガイドプレート１１に対してスライドする際に、所定値以上の外力を付加してスライドさせないとリブ１３ｒがストッパ１１ｃを超えてスライドすることができないように構成されている。このストッパ１１ｃにより、携帯電話機１のモード３の状態が維持される。
【００２４】
ガイドプレート１１とスライドプレート１２との間、詳しくはガイドプレート１１における天板１１ｔと、スライドプレート１２における底板１２ｂとの間には、回転ヒンジ部材１３が回転可能に収容設置されており、この回転ヒンジ部材１３はベースプレート１４を介して、下筐体２における正面（上筐体３に対面する面）に固定設置されている。
【００２５】
回転ヒンジ部材１３は、中心に貫通孔を有する円盤形状を呈しており、その下面の中央部にはスリーブ（図示せず）が突出形成され、下面の縁部にはストッパピン１３ｐが突出形成されている。
【００２６】
上記スリーブがスライドプレート１２における底板１２ｂの中心開口１２ｏに遊嵌することで、回転ヒンジ部材１３はスライドプレート１２に対して回転可能に支持され、中心開口１２を貫通したスリーブの下部は、スライドプレート１２の下方に位置するベースプレート１４に取り付けられている。
【００２７】
また、上記ストッパピン１３ｐは、スライドプレート１２における底板１２ｂの切欠き１２ｎを貫通して、ベースプレート１４のピン孔１４ｏと嵌合しており、これによって上記回転ヒンジ部材１３とベースプレート１４とは一体に回動することとなる。一方、回転ヒンジ部材１３の上面にはリブ１３ｒが突出形成されており、このリブ１３ｒはガイドプレート１１の天板１１ｔに形成された長孔１１ｏに嵌入している。
【００２８】
長孔１１ｏは、上記天板１１ｔの長手方向に沿って延設されているとともに、一定の幅で開口しているストレート部１１ｓと、このストレート部１１ｓの両端部に形成された丸孔部１１ｒとを有している。長孔１１ｏのストレート部１１ｓに、回転ヒンジ部材１３のリブ１３ｒが位置している状態においては、リブ１３ｒがストレート部１１ｓの左右縁部と当接することで、回転ヒンジ部材１３とガイドプレート１１とは相対的に回動することができない。
【００２９】
反面、長孔１１ｏの丸孔部１１ｒに、回転ヒンジ部材１３のリブ１３ｒが位置している状態では、該リブ１３ｒが丸孔部１１ｒの領域内において干渉するものがないので、回転ヒンジ部材１３とガイドプレート１１とは相対的に自由に回動することができる。
【００３０】
ここで、ガイドプレート１１の長孔１１ｏと、上記回転ヒンジ部材１３のリブ１３ｒとによって回動位置規制手段１５が構成されており、回転ヒンジ部材１３のリブ１３ｒが長孔１１ｏの丸孔部１１ｒに位置している状態においてのみ、換言すればガイドプレート１１に対するスライドプレート１２(回転ヒンジ部材１３)のストローク範囲における一部でのみ、ガイドプレート１１と回転ヒンジ部材１３とは相対的に回動することが許容される。
【００３１】
また、スライドプレート１２の切欠１２ｎと、上記回転ヒンジ部材１３のストッパピン１３ｐとによって回動角度規制手段１６が構成されており、スライドプレート１２に対して回転ヒンジ部材１３が回動する際、上記ストッパピン１３ｐが上記切欠き１２ｎの端部１２ｍと当接することにより、スライドプレート１２と回転ヒンジ部材１３とは、９０°の角度範囲においてのみ相対的に回動することが許容される。
【００３２】
図５及び図６に、この連結機構１０による作用を説明するための図を示す。携帯電話機１が、下筐体２と上筐体３とを重ね合わせて閉じた状態（モード０の状態）に在るとき、図５及び図６に示すように、回転ヒンジ部材１３のリブの１３ｒは、ガイドプレート１１の長孔１１ｏにおけるストレート部１１ｓの端部に位置している。
【００３３】
この状態において、上記ガイドプレート１１は、回動位置規制手段１５の機構により、回転ヒンジ部材１３に対して回動不可にロックされている。また、上記ガイドプレート１１は、既存のディテント機構(図示せず)により、回転ヒンジ部材１３に対するスライド方向への保持が為されている。
【００３４】
また図７（Ａ）及び図７（Ｂ）に、携帯電話機１をモード０の状態にした時の正面図及び側面図を示す。下筐体２と上筐体３の内部の所定の位置には磁気センサ８ａ乃至８ｇが設けられている。例えば上筐体３に磁気センサ８ａ、８ｂ、８ｃ、８ｇが内蔵されていて、下筐体２に磁気センサ８ｄ、８ｅ、８ｆが内蔵されている。これらの磁気センサ８ａ乃至８ｃ、８ｇと、磁気センサ８ｄ乃至８ｆにより、携帯電話機１の形状状態（モード０乃至モード５のいずれかの状態）が検知される。例えば、携帯電話機１がモード０の状態にある時には、図７に示すように、磁気センサ８ａ及び８ｄ、磁気センサ８ｃ及び８ｆが重なるように配置されるため、これらの磁気センサ８ａ及び８ｄ、磁気センサ８ｃ及び８ｇによって携帯電話機１がモード０の状態であることが検知される。
【００３５】
図６に示すように、モード０の状態から上筐体３を下筐体２に対してスライドさせ、回転ヒンジ部材１３のリブ１３ｒがガイドプレート１１の長孔１１ｏにおけるストレート部１１ｓのストッパ１１ｃの位置にて静止している状態（モード３の状態）においても同様に、回動位置規制手段１５の機構により、回転ヒンジ部材１３に対して回動不可にロックされている。
【００３６】
また図８（Ａ）及び図８（Ｂ）に、携帯電話機１をモード３の状態にした時の正面図及び側面図を示す。また図８（Ｃ）に携帯電話機１をモード３の状態にした時の背面図を示す。携帯電話機１がモード３の状態にある時には、図８に示すように、磁気センサ８ｂ及び８ｆが重なるように配置されるため、これらの磁気センサ８ｂ及び８ｆによって携帯電話機１がモード３の状態であることが検知される。
【００３７】
図８（Ｃ）に示すように、上筐体３の裏面（下筐体２と対面する面）にはＣＣＤカメラ９が設定されていて、上筐体３を下筐体２に対してスライドさせてモード３の状態にすることにより、ＣＣＤカメラ９が外部に露出するように構成されている。
【００３８】
モード１またはモード３の状態から、下筐体２に対して上筐体３を長手方向にスライドさせ、下筐体２の操作部２ａを露出させた状態（モード１またはモード４の状態）とした際、回転ヒンジ部材１３のリブの１３は、ガイドプレート１１における長孔１１ｏの丸孔部１１ｒに位置する。
【００３９】
この状態において、上記ガイドプレート１１は、上述した回動位置規制手段１５の機能により、回転ヒンジ部材１３に対して回動可能となる。また、この状態において、ガイドプレート１１は、既存のディテント機構(図示せず)により、回転ヒンジ部材１３に対するスライド方向および回動方向への保持が為されている。
【００４０】
図９（Ａ）及び図９（Ｂ）に、携帯電話機１をモード１の状態にした時の正面図及び側面図を示し、図１０（Ａ）及び図１０（Ｂ）に、携帯電話機１をモード４の状態にした時の正面図及び側面図を示す。携帯電話機１がモード１の状態にある時には、図９に示すように、磁気センサ８ｂ及び８ｄが重なるように配置されるため、これらの磁気センサ８ｂ及び８ｄによって携帯電話機１がモード１の状態であることが検知される。また、携帯電話機１がモード４の状態にある時には、図１０に示すように、磁気センサ８ａ及び８ｅが重なるように配置されるため、これらの磁気センサ８ａ及び８ｅによって携帯電話機１がモード４の状態であることが検知される。
【００４１】
モード１またはモード４の状態から、上筐体３を下筐体２に対して９０°回動させた状態(モード２またはモード５の状態)とした際、回転ヒンジ部材１３のストッパピン１３ｐは、スライドプレート１２における切欠き１２ｎの端部１２ｍと当接する。
【００４２】
この状態において、上記ガイドプレート１１は、上述した回動角度規制手段１６の機能により、回転ヒンジ部材１３に対して９０°以上に回動することなくロックされている。また、上記ガイドプレート１１は、既存のディテント機構(図示せず)により、回転ヒンジ部材１３に対するスライド方向および回動方向への保持が為されている。
【００４３】
図１１（Ａ）及び図１１（Ｂ）に、携帯電話機１をモード２の状態にした時の正面図及び側面図を示し、図１２（Ａ）及び図１２（Ｂ）に、携帯電話機１をモード５の状態にした時の正面図及び側面図を示す。携帯電話機１がモード２の状態にある時には、図１１に示すように、磁気センサ８ｇ及び８ｅが重なるように配置されるため、これらの磁気センサ８ｇ及び８ｅによって携帯電話機１がモード２の状態であることが検知される。また、携帯電話機１がモード５の状態にある時には、図１２に示すように、磁気センサ８ｂ及び８ｆが重なるように配置されるため、これらの磁気センサ８ｂ及び８ｆによって携帯電話機１がモード５の状態であることが検知される。なお、これに加えて、例えばモード４からの遷移により磁気センサ８ｂ及び８ｆが重なった場合にはモード５である等、形状状態の遷移により検出しても良い。
【００４４】
なお上筐体３を下筐体２に対して９０°回転させた状態において、上筐体３を長手方向にスライドさせ、横長の姿勢となった上筐体３の中央を、下筐体２の中心に位置させることができる。この際、回転ヒンジ部材１３のリブの１３ｒは、ガイドプレート１１の長孔１１ｏにおけるストレート部１１ｓの途中に位置する。この状態において、ガイドプレート１１は、回動位置規制手段１５の機構により、回転ヒンジ部材１３に対して回動することなくロックされている。また、上記ガイドプレート１１は、既存のディテント機構(図示せず)により、回転ヒンジ部材１３に対するスライド方向への保持が為されている。
【００４５】
このように、携帯電話１は、上筐体３を下筐体２に対して複数方向にスライドする機構を持ち、スライドにより露出する部分にボタン５ｃ等の操作手段を配置することにより、形状を大きくすることなく、操作性を向上させている。また、携帯電話機１の上筐体３をさらにスライドさせると、ポインティングデバイス用の静電パッド５ｅ等の操作手段が露出し、この静電パッド５ｅを指で操作することにより、画面上のカーソルを自由に操作することが可能となる。この場合、前述のボタン５ｃはマウスの左右ボタンに相当する役割を果たすようにすると良い。また、このボタン５ｃの間にロータリースイッチ５ｄを設ければ、さらに、画面のスクロールを容易に行うことが可能となる。また、この静電パッド５ｅとペンを用いて、手書き文字認識機能により、文字入力を行うことも可能である。さらに、静電パッド５ｅの代わりにタッチパネルを設け、ソフトキーを表示するようにすれば、大画面と連動させ、様々なアプリケーションを実行する際の操作性を向上させることが可能となる。
【００４６】
さらに、上筺体３が下筺体２に対して回転する機構を持ち、テンキー５ｂ等の操作手段を用いる場合であっても、ボタン５ｃやロータリースイッチ５ｄ、静電パッド５ｅを用いる場合であっても、それぞれ、９０°回転することができるようになっている。このため、ＴＶの視聴やＷＥＢブラウジングを横向きのワイド画面で行うことができ、操作性を向上させることが可能となっている。
【００４７】
次に、携帯電話機１の機能について説明する。図１３は、携帯電話機１の機能ブロック図である。携帯電話機１は、図１３に示すように、主制御部２０、電源回路部２１、操作入力制御部２２、表示制御部２３、記憶部２４、音声コーデック２５、変復調回路部２６、モード制御部２７、及びカメラインタフェース２８がバスによって相互に電気的に接続されて構成されている。
【００４８】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、様々な演算処理や制御処理等を行う。電源回路部２１は、ユーザによる操作キー５を介した入力に基づいて電源のオン／オフ状態を切り替え、電源がオン状態の場合に電力供給源（バッテリ等）から各部に対して電力を供給して、携帯電話機１を動作可能にする。
【００４９】
操作入力制御部２２は操作キー５に対する入力インタフェースを備え、操作キー５によって入力されたデータを主制御部２０に伝送する。表示制御部２３は液晶ディスプレイ４に対する表示インタフェースを備え、主制御部２０の制御に基づいて、文書データや画像データ等を液晶ディスプレイ４に表示する。
【００５０】
記憶部２４は、主制御部２０が行う処理の処理プログラムや処理に必要なデータ等を格納するＲＯＭ（Ｒｅａｄ  Ｏｎｌｙ  Ｍｅｍｏｒｙ）やハードディスク、不揮発性メモリ、主制御部２０が処理を行う際に使用されるデータを一時的に記憶するＲＡＭ（Ｒａｎｄｏｍ  Ａｃｃｅｓｓ  Ｍｅｍｏｒｙ）等からなる。
【００５１】
携帯電話機１は、他の携帯電話機や固定電話機に対して、基地局（図示せず）を介して音声通話処理を行う。すなわち音声コーデック２５は、主制御部２０の制御に基づいて、マイクロフォン７で集音した音声からアナログ音声信号を生成する。変復調回路部２６は、音声通話の際に、音声コーデック２５からアナログ信号を入力すると、この信号をデジタル信号に変換して送受信回路部３６に伝送する。送受信回路部３６はこのデジタル音声信号をアンテナ３７を介して基地局に送信する。変復調回路部２６は、送受信回路部３６がアンテナ３７を介して基地局から受信したデジタル音声信号を、アナログ音声信号に変換する。音声コーデック２５は、音声通話の際に、変復調回路部２６からアナログ音声信号を取得して、スピーカ６から音声として出力する。
【００５２】
また、携帯電話機１は、他の携帯電話機や通信機器に対して基地局を介してデータ通信処理を行う。すなわち携帯電話機１は、電子メールやＷｅｂ閲覧データ、画像データ、映像データ等の様々なデータの送受信処理を行う。主制御部２０は、データを受信する際、送受信回路部３６がアンテナ３７を介して基地局から受信した受信信号を変復調回路部２６でスペクトラム逆拡散処理して、データを復元する。このデータは、主制御部２０の指示により、表示制御部２３を介して液晶ディスプレイ４に表示されたり記憶部２４に記録されたりする。また主制御部２０は、操作入力部２２を介して入力されたデータや記憶部２４に記憶されたデータを送信する際、変復調回路部２６がデータに対してスペクトラム拡散処理を行い、送受信回路部３６がアンテナ３７を介して基地局に送信する。
【００５３】
モード制御部２７は、ユーザにより下筐体２または上筐体３の形状が変えられることにより携帯電話機１の形状状態（モード０乃至モード５のいずれかの状態）が変化した際に、磁気センサ８ａ乃至８ｇにより状態の変化を検知し、変化後の状態に対応した所定の機能を起動する。モード制御部２７は、携帯電話機１の変化後の状態に対応した機能を示したモード情報を記憶するためのモード情報記憶部２７ａを備えている。
【００５４】
カメラインタフェース２８は、ＣＣＤカメラ９で撮像した画像信号を表示制御部２３を介して液晶ディスプレイ４に表示する。またカメラインタフェース２８は、主制御部２０の制御に基づいて、ＣＣＤカメラ９が入力した画像信号を、例えばＭＰＥＧ（Ｍｏｖｉｎｇ  Ｐｉｃｔｕｒｅ  Ｅｘｐｅｒｔｓ  Ｇｒｏｕｐ）４等の所定の符号化方式によって圧縮符号化する。
【実施例１】
【００５５】
携帯電話機１の実施例１について、図１４及び図１５に基づいて説明する。携帯電話機１の実施例１では、モード制御部２７のモード情報記憶部２７ａに、モード情報４０が記憶されている。モード情報４０は、携帯電話機１の状態（モード０乃至モード５のいずれかの状態）を示す状態情報４０ａに対して機能を示す機能情報４０ｂがそれぞれ対応付けられた情報である。これらのモード情報４０は、予めユーザにより操作キー５を介して入力された情報であっても、各々の状態に対して前回使用した時に起動された機能を対応付けて記憶した情報であっても良い。
【００５６】
例えば図１４に示すモード情報４０によると、モード１の状態に対して音声通話機能、モード２の状態に対してＴＶ機能、モード３の状態に対してカメラ機能、モード４の状態に対してＷＥＢブラウジング機能、モード５の状態に対してゲーム機能がそれぞれ対応付けられている。
【００５７】
ユーザが携帯電話機１の形状状態を変化させた時に、モード制御部２７がモード情報４０に基づいて所定の機能を起動するモード制御処理を行う際の手順について、図１５に示すフローチャートに基づいて説明する。以下、例えば「ステップＳ１０１」を「Ｓ１０１」のように、「ステップ」の語句を省略して説明する。
【００５８】
ユーザは、所望の機能を起動する際に、下筐体２及び上筐体３の操作しやすい形状状態に変化させてから起動することが多い。そこで携帯電話機１では、下筐体２及び上筐体３の形状状態が変化したことに基づいてユーザの所望の機能を起動させることにより、ユーザの操作負荷を軽減させる。
【００５９】
まずモード制御部２７は、下筐体２及び上筐体３の形状状態が変化したか否かを判断する（Ｓ１０１）。これは、磁気センサ８ａ乃至８ｇにより検出された情報に基づいて判断される。形状状態が変化していない場合（Ｓ１０１のＮｏ）は、モード制御部２７は変化するまで待機する。
【００６０】
形状状態が変化した場合（Ｓ１０１のＹｅｓ）は、モード制御部２７は、モード情報記憶部２７ａから、Ｓ１０１にて形状状態が変化した際の変化後の状態に対応付けられた機能情報４０ｂを取得する（Ｓ１０３）。そして、モード制御部２７は、Ｓ１０３にて取得した機能情報４０ｂが示す機能を起動する（Ｓ１０５）。例えばユーザがＳ１０１にてモード０の状態から上筐体３を下筐体２に対してスライドさせてモード１の状態に変化させた場合、モード制御部２７は、Ｓ１０３にてモード情報４０にてモード１に対応付けられている機能である音声通話機能を取得し、Ｓ１０５にて音声通話機能を起動する。
【００６１】
そしてモード制御部２７は、再びＳ１０１に戻って、下筐体２及び上筐体３の形状状態が変化するまで待機し、モード制御部２７がこのＳ１０１乃至Ｓ１０５の処理を繰り返すことにより、ユーザが下筐体２及び上筐体３の形状状態を変化させる都度に、ユーザの所望の機能を起動することを可能としている。
【００６２】
このように、下筐体２及び上筐体３が相互にスライド自在に積層された携帯電話機１において、電話番号の入力やメールの入力などを行う際に、上筐体３を一方方向にスライドすると、下筐体２にテンキー５ｂが現れ、上筐体３をもう一方の方向にスライドすると、ボタン５ｃや、ポインティングデバイス用の静電パッド５ｅ、ロータリースイッチ５ｄが露出し、ゲームやＷＥＢブラウジング等を行う際の操作性を向上させることができる。さらに、上筺体３が下筺体２に対して平行な平面状を回転する機構を持ち、液晶ディスプレイ４を横長にして使用することによりテレビ視聴やＷＥＢブラウジングを行う場合の操作性を向上させることができる。また、下筐体２及び上筺体３の形状状態毎に、起動される機能をユーザが予め設定しておくことにより、ユーザが頻繁に使用する機能を、下筐体２及び上筺体３の形状状態を変えるだけで即座に起動させることができる。さらに、前回使用した機能を記憶しておくことにより、ユーザが前回使用した機能を、下筐体２及び上筺体３の形状状態を変えるだけで即座に起動させることができる。
【００６３】
なお、本発明に係る電子機器の実施例１として、ユーザが下筐体２及び上筐体３の形状状態を変化させることに基づいて、変化後の状態に対応した機能を起動する例について説明したが、これに限定されず、モータを内蔵することにより、ユーザが機能を起動することに基づいて、起動された機能に対応した形状状態に下筐体２及び上筐体３を変化させても良い。例えば携帯電話機１がモード０の状態にある時に、モード２に設定されているテレビ機能がユーザにより選択されると、携帯電話機１は、モータにより上筺体３が下筐体２に対してスライドしてモード１の状態に変形し、更に上筺体３が下筐体２に対して回転してモード２に変形する。この際、モード制御部２７は、ユーザが起動した機能を示す機能情報４０ｂに対応付けられた状態情報４０ａに、下筐体２及び上筐体３の形状状態を変化させる。
【００６４】
また、携帯電話機１の形状を所定の状態にして所定の機能を起動している時に、着信やメール受信、アラーム等のイベントが発生した際には、その時に起動されている機能を一旦停止してそのイベントを割り込ませ、イベントが終了した時に、一旦停止していた機能を再開するようにしても良い。例えばユーザが携帯電話機１をモード２の状態にしてＷＥＢブラウジング機能を起動している最中に音声着信があった場合、ユーザが携帯電話機１をモード１の状態に戻すと、モード制御部２７はＷＥＢブラウジング機能を一旦中断してモード１の状態で音声通話を開始する。そして音声通話の終了後、ユーザが携帯電話機１をモード２の状態に戻したことに基づいて、モード制御部２７は再びＷＥＢブラウジング機能を再開する。
【００６５】
またユーザが携帯電話機１をモード２またはモード５の状態にしてテレビ視聴機能を起動している最中に音声着信があった場合は、ユーザが携帯電話機１をモード１の状態に戻した時に、視聴中のテレビ番組について自動的に録画を行い、音声通話の終了後にこの録画されたテレビ番組を再生するようにしても良い。
【００６６】
さらに、実施例１として磁気センサ８ａ乃至８ｇを用いて携帯電話機１の形状状態を検知する例について説明したが、これに限らず、他の検出法を用いても良い。
【００６７】
本発明に係る電子機器（携帯電話機１）の実施例１によると、上筐体３を下筐体２に対して２方向にスライドできるように構成することにより、未使用時にはテンキー５ｂやボタン５ｃ、ロータリースイッチ５ｄ、静電パッド５ｅ等の操作手段が装置内部に収納されているが必要に応じてこれらの操作手段が露出されるため、携帯電話機１の形状を大きくすることなく、携帯電話機１でゲームやＷＥＢブラウジング、メールの文字入力等を行う際の操作性を向上させることが可能となった。また、上筺体３を下筺体２に対して平行な平面方向に回転できるように構成することにより、ＴＶの視聴やＷＥＢブラウジングを行う場合の操作性を向上させることが可能となった。
【００６８】
また、本発明に係る電子機器（携帯電話機１）の実施例１によると、形状状態と機能とが対応付けられた情報を予め記憶しておくか、あるいは、各形状状態に対して前回使用された機能を対応付けて記憶しておき、携帯電話機１の形状状態が変化した際に、変化後の形状状態に対応付けられた機能を起動することにより、ユーザが所望の機能を起動する時の手間を省くことができる。これにより、携帯電話機１でゲームやＷＥＢブラウジング、メールの文字入力等を行う際の操作性を向上させることが可能となった。
【実施例２】
【００６９】
携帯電話機１の実施例２について、図１６乃至図１８に基づいて説明する。
【００７０】
携帯電話機１の実施例２では、モード制御部２７のモード情報記憶部２７ａに、モード情報４１が記憶されている。モード情報４１は、携帯電話機１の状態（モード０乃至モード５のいずれかの状態）を示す状態情報４１ａに対して、機能を示す機能情報４１ｂ、子機能情報４１ｂが示す各機能の使用頻度を示す頻度情報４１ｃ、状態情報４１ａが示す状態では使用できない機能を示す不可機能情報４１ｄがそれぞれ対応付けられた情報である。これらのモード情報４１は予め設定されている情報であるが、使用頻度情報４０ｃは、ユーザが各々の状態において所定の機能を起動する度に更新される。
【００７１】
例えば図１６に示すモード情報４１によると、モード１の状態に対して音声通話機能、メール機能、ＷＥＢブラウジング機能、・・・等の機能情報４１ｂが対応付けられている。また、これらの機能情報４１ｂのそれぞれについて、音声通話機能が５０回、メール機能が４０回、ＷＥＢブラウジング機能が３０回、・・・等の使用頻度が対応付けられている。また、モード１の状態に対してカメラ機能が不可機能情報４１ｄとして対応付けられている。これは、例えばモード１の状態ではＣＣＤカメラ９が隠蔽された状態であってカメラ機能が起動できないため、カメラ機能が使用できない機能として設定されている。同様に、モード２乃至モード５の状態では、マイクロフォン７が隠蔽されていたりマイクロフォン７とスピーカ６の位置関係が音声通話に適していなかったりするため、音声通話機能が使用できない機能として設定されている。
【００７２】
実施例１と同様に、携帯電話機１では、下筐体２及び上筐体３の形状状態が変化したことに基づいて、ユーザの所望の機能を起動させる。まずモード制御部２７は、下筐体２及び上筐体３の形状状態が変化したか否かを判断する（Ｓ２０１）。これは、磁気センサ８ａ乃至８ｇにより検出された情報に基づいて判断される。形状状態が変化していない場合（Ｓ２０１のＮｏ）は、モード制御部２７は変化するまで待機する。
【００７３】
形状状態が変化した場合（Ｓ２０１のＹｅｓ）は、モード制御部２７は、モード情報記憶部２７ａから、Ｓ１０１にて形状状態が変化した際の変化後の状態に対応付けられた機能情報４１ｂのうちの頻度情報４１ｃが示す使用頻度が最も高い機能を取得する（Ｓ２０３）。そして、モード制御部２７は、Ｓ２０３にて取得した機能を起動する（Ｓ２０５）。例えばユーザがＳ２０１にてモード０の状態から上筐体３を下筐体２に対してスライドさせてモード１の状態に変化させた場合、モード制御部２７は、Ｓ２０３にてモード情報４０にてモード１に対応付けられている機能のうちの使用頻度が最も高い機能である音声通話機能を取得し、Ｓ２０５にて音声通話機能を起動する。
【００７４】
モード制御部２７は、ユーザにより操作キー５を用いてメニュー表示が指示されたか否かを判断する（Ｓ２０７）。ユーザは、Ｓ２０１にて下筐体２及び上筐体３の形状状態を変化させたことによりＳ２０５にて起動された機能が、所望の機能と異なっていた場合に、別の機能を起動するためのメニュー表示画面５０を表示するように指示を出す。
【００７５】
ユーザによりメニュー表示が指示された場合（Ｓ２０９）は、モード制御部２７は、モード情報記憶部２７ａから、Ｓ２０１にて形状状態が変化した際の変化後の状態に対応付けられた機能情報４１ｂを、頻度情報４１ｃが示す使用頻度が高い順に並べて取得する（Ｓ２０９）。またモード制御部２７は、モード情報記憶部２７ａから、Ｓ２０１にて形状状態が変化した際の変化後の状態に対応付けられた不可機能情報４１ｄを取得し、Ｓ２０９にて取得した機能情報４１ｂから不可機能情報４１ｄと同じ機能を示す情報を除外する（Ｓ２１１）。
【００７６】
モード制御部２７は、液晶ディスプレイ４にメニュー表示画面５０を表示する（Ｓ２１３）。メニュー表示画面５０は、図１８に示すように、所定の機能を起動するためのメニューボタン５１ａ、５１ｂ、・・・を備えている。メニューボタン５１ａ、５１ｂ、・・・は、Ｓ２０９にて取得された機能からＳ２１１にて使用できないものが除外されて残ったそれぞれの機能に対応している。例えばメニューボタン５１ａ、５１ｂ、・・・は、使用頻度が高い順に並べられて対応付けられている。すなわち、Ｓ２０１にてモード２の状態に変化した場合、モード情報４１に基づいて、メニューボタン５１ａに使用頻度が最も高い機能であるテレビ機能が対応付けられ、メニューボタン５１ｂに使用頻度が２番目に高い機能であるゲーム機能が対応付けられる。
【００７７】
ユーザは、Ｓ２１５にて表示したメニュー表示画面５０から操作キー５を用いていずれかのメニューボタン５１ａ、５１ｂ、・・・を選択することにより、所望の機能の起動を指示する。モード制御部２７は、Ｓ２１５にて表示したメニュー表示画面５０からいずれかのメニューボタン５１ａ、５１ｂ、・・・が選択されたか否かを判断する（Ｓ２１５）。いずれのメニューボタン５１ａ、５１ｂ、・・・も選択されていない場合（Ｓ２１５のＮｏ）は、モード制御部２７はいずれかのメニューボタン５１ａ、５１ｂ、・・・が選択されるまで待機する。
【００７８】
メニューボタン５１ａ、５１ｂ、・・・が選択された場合（Ｓ２１５のＹｅｓ）は、モード制御部２７は、選択されたメニューボタン５１ａ、５１ｂ、・・・に対応した機能を起動することにより、ユーザの所望の機能を起動する（Ｓ２１７）。
【００７９】
Ｓ２０７にてメニューが指示されなかった場合（Ｓ２０７のＮｏ）、またはＳ２１７にてユーザの所望の機能を起動した場合、モード制御部２７は、モード情報４１の頻度情報４１ｃを更新する（Ｓ２１９）。例えばモード２の状態においてテレビ機能を起動した場合は、モード制御部２７は、モード情報４１において、モード２のテレビ機能に対応付けられた使用頻度を２８回から２９回に更新する。そしてモード制御部２７は、再びＳ２０１に戻って、下筐体２及び上筐体３の形状状態が変化するまで待機し、モード制御部２７がこのＳ２０１乃至Ｓ２１９の処理を繰り返すことにより、ユーザが下筐体２及び上筐体３の形状状態を変化させる都度に、ユーザの所望の機能を起動することを可能としている。
【００８０】
このように、下筐体２及び上筺体３の形状状態毎にユーザの使用頻度を記憶しておき、ユーザにより携帯電話機１の形状状態が変更された際に、モード制御部１７はこの使用頻度に基づいて所定の機能を起動する。
【００８１】
また、ユーザにより起動可能な機能を提示するためのメニュー表示の指示がされた際に、メニュー表示画面５０において各々の機能を使用頻度の高い順に並べることにより、ユーザが起動された機能と異なる機能を使用したい場合にも、使用頻度の高い機能がメニューリストの上位、すなわちアクセスしやすい位置にあるので、ユーザが機能を容易に切り替えることができる。
【００８２】
本発明に係る電子機器（携帯電話機１）の実施例２によると、上筐体３及び下筐体２を相互に複数方向にスライド可能なように積層させ、スライドの方向により異なる操作手段を露出させるとともに、スライド方向毎に各機能の使用頻度を記憶しておき、上筐体３が下筐体２に対してスライドされた際、そのスライド方向における使用頻度の高い機能を起動することにより、ユーザが所望の機能を起動する時の手間を省くことができる。これにより、携帯電話機１を用いてゲームやＷＥＢブラウジング、メールの文字入力等を行う際の操作性を向上させることが可能となった。
【００８３】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、携帯型ゲーム機、デジタルカメラ等であっても構わない。
【図面の簡単な説明】
【００８４】
【図１】本発明に係る電子機器である携帯電話機の各状態を示す斜視図。
【図２】本発明に係る電子機器である携帯電話機の各状態を示す斜視図。
【図３】本発明に係る電子機器である携帯電話機の下筐体及び上筐体の連結機構を説明するための図。
【図４】本発明に係る電子機器である携帯電話機の下筐体及び上筐体の連結機構を説明するための図。
【図５】本発明に係る電子機器である携帯電話機の下筐体及び上筐体の連結機構の各状態を示す斜視図。
【図６】本発明に係る電子機器である携帯電話機の下筐体及び上筐体の連結機構の各状態を示す斜視図。
【図７】本発明に係る電子機器である携帯電話機をモード０の状態にした時の正面図及び側面図。
【図８】本発明に係る電子機器である携帯電話機をモード３の状態にした時の正面図及び側面図。
【図９】本発明に係る電子機器である携帯電話機をモード１の状態にした時の正面図及び側面図。
【図１０】本発明に係る電子機器である携帯電話機をモード４の状態にした時の正面図及び側面図。
【図１１】本発明に係る電子機器である携帯電話機をモード２の状態にした時の正面図及び側面図。
【図１２】本発明に係る電子機器である携帯電話機をモード５の状態にした時の正面図及び側面図。
【図１３】本発明に係る携帯電話機の機能ブロック図。
【図１４】モード情報を示すデータ構成図。
【図１５】本発明に係る携帯電話機においてモード制御処理（実施例１）を行う際の手順を示すフローチャート。
【図１６】モード情報を示すデータ構成図。
【図１７】本発明に係る携帯電話機においてモード制御処理（実施例２）を行う際の手順を示すフローチャート。
【図１８】本発明に係る携帯電話機におけるメニュー表示画面を示す画面図。
【符号の説明】
【００８５】
１…携帯電話機，２…下筐体，３…上筐体，４…液晶ディスプレイ，５、５ａ乃至５ｅ…操作キー，６…スピーカ，７…マイクロフォン，８ａ乃至８ｇ…磁気センサ，９…ＣＣＤカメラ，１０…連結機構，１１…ガイドプレート，１２…スライドプレート，１３…回転ヒンジ部材，１４…ベースプレート，１５…回転位置規制手段，１５…回転角度規制手段，２０…主制御部，２１…電源回路部，２２…操作入力制御部，２３…表示制御部，２４…記憶部，２５…音声コーデック，２６…変復調回路部，２７…モード制御部，２７ａ…モード情報記憶部，２８…カメラインタフェース，３６…送受信回路部，３７…アンテナ，４０、４１…モード情報，５０…メニュー表示画面。
【図１】
2009055312.tif 000003
【図２】
2009055312.tif 000004
【図３】
2009055312.tif 000005
【図４】
2009055312.tif 000006
【図５】
2009055312.tif 000007
【図６】
2009055312.tif 000008
【図７】
2009055312.tif 000009
【図８】
2009055312.tif 000010
【図９】
2009055312.tif 000011
【図１０】
2009055312.tif 000012
【図１１】
2009055312.tif 000013
【図１２】
2009055312.tif 000014
【図１３】
2009055312.tif 000015
【図１４】
2009055312.tif 000016
【図１５】
2009055312.tif 000017
【図１６】
2009055312.tif 000018
【図１７】
2009055312.tif 000019
【図１８】
2009055312.tif 000020